(57)【要約】    【課題】  配線基板を収容する筐体の内部に、アンテナを設置して成る携帯端末を対象とし、その目的は外観の不用意な大型化を招くことなく、配線基板等の筐体内部品とアンテナとのクリアランスを確保し、もって送受信時におけるアンテナ性能の低下を未然に防止し得る携帯端末を提供することにある。  また、外部からの静電気がアンテナに落ちることに起因する通信回路の破壊を未然に防止し得る携帯端末を提供することにある。  さらに、配線基板上の通信回路とアンテナとの接続に供される部品点数の削減を達成し得る携帯端末を提供することにある。    【解決手段】  内部に配線基板を収容する筐体と一体に、アンテナを成形して成ることを特徴としている。  また、板状に形成されたアンテナ本体部のエッジを覆う態様で、筐体と一体に、アンテナを成形して成ることを特徴としている。  さらに、筐体と一体に成形されたアンテナ本体部と、配線基板に設けられた基板側接続部に直接に接触して導通するアンテナ側接続部とを、アンテナが備えて成ることを特徴としている。    【選択図】  図３
2006129038.tif 000002
【特許請求の範囲】
【請求項１】
配線基板を収容する筐体の内部に、アンテナを設置して成る携帯端末であって、
前記アンテナを前記筐体と一体に成形して成ることを特徴とする携帯端末。
【請求項２】
前記アンテナは板状に形成されたアンテナ本体部を有し、該アンテナ本体部のエッジを覆う態様で前記筐体と一体に成形して成ることを特徴とする請求項１記載の携帯端末。
【請求項３】
前記アンテナは前記筐体と一体に成形されたアンテナ本体部と、前記配線基板に設けられた基板側接続部に直接に接触して導通するアンテナ側接続部とを有して成ることを特徴とする請求項１または請求項２記載の携帯端末。
【請求項４】
前記アンテナ側接続部および前記基板側接続部の少なくとも一方の部材を、自身の弾性に基づいて他方の部材に圧接させることを特徴とする請求項３記載の携帯端末。
【請求項５】
前記アンテナは板状に形成されたアンテナ本体部を有し、該アンテナ本体は中央部と端部との境界が折り曲げ形成されていることを特徴とする請求項１乃至請求項４記載の携帯端末。
【請求項６】
前記携帯端末は、上筐体と下筐体とをヒンジ部を介して連結した折畳み式の携帯端末であって、前記ヒンジ部のヒンジカバーと一体に前記アンテナを成形して成ることを特徴とする請求項１乃至請求項５記載の携帯端末。
【請求項７】
前記携帯端末は、上筐体と下筐体とをヒンジ部を介して連結した折畳み式の携帯端末であって、前記上筐体は、前記上筐体と前記下筐体とを折り畳んだ場合に外部に露出する外ケースと下筐体と正対する内ケースとから成り、前記外ケースと前記アンテナを一体に成形して成ることを特徴とする請求項１乃至請求項５記載の携帯端末。
【請求項８】
樹脂から成る外ケースと内ケースの間に配線基板を有する携帯端末において、
前記外ケースと前記内ケースのどちらか一方にアンテナの少なくとも一部を内蔵させたことを特徴とする携帯端末。
【請求項９】
前記アンテナは板状に形成されたアンテナ本体部を有し、該アンテナ本体部のエッジを覆う態様で前記外ケースと前記内ケースのどちらか一方に前記アンテナを内蔵させたことを特徴とする請求項８記載の携帯端末。
【請求項１０】
前記アンテナは前記外ケースと前記内ケースのどちらか一方に内蔵されたアンテナ本体部と、前記配線基板に設けられた基板側接続部に直接に接触して導通するアンテナ側接続部とを有して成ることを特徴とする請求項８または請求項９記載の携帯端末。
【請求項１１】
前記アンテナ側接続部および前記基板側接続部の少なくとも一方の部材を、自身の弾性に基づいて他方の部材に圧接させることを特徴とする請求項１０記載の携帯端末。
【請求項１２】
前記アンテナは板状に形成されたアンテナ本体部を有し、該アンテナ本体は中央部と端部との境界が折り曲げ形成されていることを特徴とする請求項８乃至請求項１１記載の携帯端末。
【発明の詳細な説明】
【技術分野】
【０００１】
本発明は、配線基板を収容する筐体の内部に、アンテナを設置して成る携帯端末に関するもので、詳しくは上記アンテナの設置態様に関するものである。
【背景技術】
【０００２】
例えば、携帯電話機等の携帯端末においては、外観デザインにおける美感の向上等を目的として、通信用のアンテナをケーシングの外部に露出させることなく、上記ケーシングの内部にアンテナを設置したものが提供されている。
【０００３】
図７および図８に示す携帯端末Ｅは、互いに組み付けられる下ケースＬと上ケースＵとから成るケーシング(筐体)Ｃの内部に、図示していない各種の電子部品を実装した配線基板Ｂが設置されており、さらに上記ケーシングＣの内部に通信用のアンテナＡが収容設置されている。
【０００４】
上記アンテナＡは、ステンレス鋼等の板金から成る平板状のアンテナ本体Ａａと、該アンテナ本体Ａａから突出した接続舌片Ａｂとを有しており、下ケースＬに形成したリブＬａ、Ｌａのスリットに、アンテナ本体Ａａを嵌め入れることによって、ケーシングＣの内部における所定の位置に組み付けられている。
【０００５】
一方、上記配線基板Ｂの表面に形成された接続パターンＢｐには、ハンダ付け等の手段によって接続バネＳが取り付けられており、上述した如くケーシングＣの内部に組み付けられたアンテナＡの接続舌片Ａｂを上記接続バネＳと接触させることで、配線基板Ｂ上において構築された通信回路(図示せず)と上記アンテナＡとの接続が為されている。
【０００６】
ここで、出願人の知っている上述の如き先行技術は、公知・公用の技術であって文献公知発明に係わるものではなく、もって記載すべき先行技術文献情報はない。
【発明の開示】
【発明が解決しようとする課題】
【０００７】
ところで、上述した従来の携帯端末Ａでは、下ケースＬの端壁Ｌｅと配線基板Ｂの端縁Ｂｅとの間に、アンテナＡ(アンテナ本体Ａａ)を設置する構成を採用しているが、このような構成の携帯端末Ａにおいては、スペースの制約から配線基板Ｂの端縁ＢｅとアンテナＡ(アンテナ本体Ａａ)とのクリアランスｗを大きく設定することが難しく、アンテナＡ(アンテナ本体Ａａ)が配線基板Ｂや該配線基板Ｂの周辺に設置された種々の金属物と近接することで、送信時および受信時におけるアンテナ性能の大幅な低下を招いてしまう不都合があった。
【０００８】
このような不都合に対して、配線基板Ｂの端縁ＢｅとアンテナＡ(アンテナ本体Ａａ)とのクリアランスｗを大きく設定すれば、送受信時におけるアンテナ性能の低下を防止し得るものの、上記クリアランスｗの増大に伴ってケーシング(筐体)Ｃが大型化することで、携帯端末Ａの外観が不用意に大型化してしまう問題があった。
【０００９】
上記実状に鑑みて本発明の目的は、筐体の不用意な大型化を招くことなく、配線基板等の筐体内部品とアンテナとのクリアランスを確保し、送受信時におけるアンテナ性能の低下を未然に防止し得る携帯端末を提供することにある。
【００１０】
また、上述した従来の携帯端末Ａでは、下ケースＬのリブＬａ、Ｌａに組み付けられたアンテナＡの全体がケーシングＣの内部において露出しており、平板状を呈しているアンテナ本体Ａａのエッジ部分、すなわち平面部分と板厚方向の周面部分とが会合する稜線部分も露出しているため、下ケースＬと上ケースＵとの隙間を介して外部から侵入した静電気が上記エッジ部分に落ち易く、万一、アンテナＡに静電気が落ちた場合には、上記アンテナＡと接続されている通信回路の破壊を招いてしまう虞れがあった。
【００１１】
上記実状に鑑みて本発明の目的は、外部からの静電気がアンテナに落ちることに起因する、通信回路の破壊を未然に防止し得る携帯端末を提供することにある。
【００１２】
また、上述した従来の携帯端末Ａでは、配線基板Ｂ上において構築された通信回路(図示せず)とアンテナＡとを、配線基板Ｂに形成した接続パターンＢｐに取り付けた接続バネＳをアンテナＡに設けた接続舌片Ａｂと接触させることで接続しているため、アンテナＡと通信回路(図示せず)との接続に供される部品点数が多く、これによって製造工程が繁雑化する等の不都合を招いていた。
【００１３】
上記実状に鑑みて本発明の目的は、配線基板上の通信回路とアンテナとの接続に供される部品点数の削減を達成し得る携帯端末を提供することにある。
【課題を解決するための手段】
【００１４】
上記目的を達成するべく、請求項１の発明に関わる携帯端末は、配線基板を収容する筐体の内部に、アンテナを設置して成る携帯端末であって、前記アンテナを前記筐体と一体に成形して成ることを特徴としている。
【００１５】
請求項２の発明に関わる携帯端末は、請求項１の発明に関わる携帯端末において、前記アンテナは板状に形成されたアンテナ本体部を有し、該アンテナ本体部のエッジを覆う態様で前記筐体と一体に成形して成ることを特徴としている。
【００１６】
請求項３の発明に関わる携帯端末は、請求項１または請求項２の発明に関わる携帯端末において、前記アンテナは前記筐体と一体に成形されたアンテナ本体部と、前記配線基板に設けられた基板側接続部に直接に接触して導通するアンテナ側接続部とを有して成ることを特徴としている。
【００１７】
請求項４の発明に関わる携帯端末は、請求項３の発明に関わる携帯端末において、前記アンテナ側接続部および前記基板側接続部の少なくとも一方の部材を、自身の弾性に基づいて他方の部材に圧接させることを特徴としている。
【００１８】
請求項５の発明に関わる携帯端末は、請求項１乃至請求項４の発明に関わる携帯端末において、前記アンテナは板状に形成されたアンテナ本体部を有し、該アンテナ本体は中央部と端部との境界が折り曲げ形成されていることを特徴としている。
【００１９】
請求項６の発明に関わる携帯端末は、請求項１乃至請求項５の発明に関わる携帯端末において、前記携帯端末は、上筐体と下筐体とをヒンジ部を介して連結した折畳み式の携帯端末であって、前記ヒンジ部のヒンジカバーと一体に前記アンテナを成形して成ることを特徴としている。
【００２０】
請求項７の発明に関わる携帯端末は、請求項１乃至請求項５の発明に関わる携帯端末において、前記携帯端末は、上筐体と下筐体とをヒンジ部を介して連結した折畳み式の携帯端末であって、前記上筐体は、前記上筐体と前記下筐体とを折り畳んだ場合に外部に露出する外ケースと下筐体と正対する内ケースとから成り、前記外ケースと前記アンテナを一体に成形して成ることを特徴としている。
【００２１】
請求項８の発明に関わる携帯端末は、樹脂から成る外ケースと内ケースの間に配線基板を有する携帯端末において、前記外ケースと前記内ケースのどちらか一方にアンテナの少なくとも一部を内蔵させたことを特徴としている。
【００２２】
請求項９の発明に関わる携帯端末は、請求項８の発明に関わる携帯端末において、前記アンテナは板状に形成されたアンテナ本体部を有し、該アンテナ本体部のエッジを覆う態様で前記外ケースと前記内ケースのどちらか一方に前記アンテナを内蔵させたことを特徴としている。
【００２３】
請求項１０の発明に関わる携帯端末は、請求項８または請求項９の発明に関わる携帯端末において、前記アンテナは前記外ケースと前記内ケースのどちらか一方に内蔵されたアンテナ本体部と、前記配線基板に設けられた基板側接続部に直接に接触して導通するアンテナ側接続部とを有して成ることを特徴としている。
【００２４】
請求項１１の発明に関わる携帯端末は、請求項１０の発明に関わる携帯端末において、前記アンテナ側接続部および前記基板側接続部の少なくとも一方の部材を、自身の弾性に基づいて他方の部材に圧接させることを特徴としている。
【００２５】
請求項１２の発明に関わる携帯端末は、請求項８乃至請求項１１の発明に関わる携帯端末において、前記アンテナは板状に形成されたアンテナ本体部を有し、該アンテナ本体は中央部と端部との境界が折り曲げ形成されていることを特徴としている。
【発明の効果】
【００２６】
請求項１の発明に関わる携帯端末では、アンテナを筐体と一体に成形したことで、筐体に収容されている配線基板等の内部部品とアンテナとのクリアランスを大きく採ることができ、上記内部部品と上記アンテナとの不用意な近接が防止されることとなる。
【００２７】
もって請求項１の発明に関わる携帯端末によれば、筐体の不用意な大型化を招くことなく、配線基板等の筐体内部品とアンテナとのクリアランスを確保することで、送受信時におけるアンテナ性能の低下を未然に防止することが可能となる。
【００２８】
請求項２の発明に関わる携帯端末では、静電気の落ち易いアンテナ本体部のエッジを覆う態様で、アンテナを筐体と一体に成形したことにより、外部からの静電気がアンテナに落ちることに起因する、通信回路の破壊を未然に防止することが可能となる。
【００２９】
請求項３の発明に関わる携帯端末では、アンテナにおけるアンテナ側接続部と、配線基板に設けた基板側接続部とを直接に接触させて、アンテナと配線基板との接続を為していることにより、アンテナと配線基板、具体的には配線基板上の通信回路との接続に供される部品点数を削減することが可能となる。
【００３０】
請求項４の発明に関わる携帯端末では、アンテナ側接続部および基板側接続部の少なくとも一方の部材を、自身の弾性に基づいて他方の部材に圧接させることにより、配線基板とアンテナとを確実に接続することが可能となる。
【００３１】
請求項５の発明に関わる携帯端末では、板状に形成されたアンテナ本体部の、中央部と端部との境界を折り曲げ形成したことにより、アンテナを一体に成形して成る筐体の強度が大幅に向上することとなる。
【００３２】
請求項６の発明に関わる携帯端末では、アンテナをヒンジカバーと一体に成形することにより、比較的に小型の部品であるヒンジカバーの強度が大幅に向上することとなる。
【００３３】
請求項７の発明に関わる携帯端末では、アンテナを上筐体の外ケースと一体に成形したことにより、比較的に扁平な部品である外ケースの剛性が向上するとともに、外ケースは外方を向くことからアンテナ性能の向上も見込まれることとなる。
【００３４】
請求項８の発明に関わる携帯端末では、アンテナの少なくとも一部を外ケースと内ケースとのどちらか一方に内蔵させたことで、配線基板等の内部部品とアンテナとのクリアランスを大きく採ることができ、上記内部部品と上記アンテナとの不用意な近接が防止されることとなり、もって送受信時におけるアンテナ性能の低下を未然に防止することが可能となる。
【００３５】
請求項９の発明に関わる携帯端末では、静電気の落ち易いアンテナ本体部のエッジを覆う態様で、外ケースと内ケースとのどちらか一方にアンテナを内蔵させたことにより、外部からの静電気がアンテナに落ちることに起因する、通信回路の破壊を未然に防止することが可能となる。
【００３６】
請求項１０の発明に関わる携帯端末では、アンテナにおけるアンテナ側接続部と、配線基板に設けた基板側接続部とを直接に接触させて、アンテナと配線基板との接続を為していることにより、アンテナと配線基板、具体的には配線基板上の通信回路との接続に供される部品点数を削減することが可能となる。
【００３７】
請求項１１の発明に関わる携帯端末では、アンテナ側接続部および基板側接続部の少なくとも一方の部材を、自身の弾性に基づいて他方の部材に圧接させることにより、配線基板とアンテナとを確実に接続することが可能となる。
【００３８】
請求項１２の発明に関わる携帯端末では、板状に形成されたアンテナ本体部の、中央部と端部との境界を折り曲げ形成したことにより、アンテナを内蔵した外ケースまたは内ケースの強度が大幅に向上することとなる。
【発明を実施するための最良の形態】
【００３９】
以下、実施例を示す図面に基づいて、本発明を詳細に説明する。  
図１〜図６は、本発明を携帯端末の一態様である折畳み式の携帯電話機に適用した実施例を示しており、この携帯電話機１は送話部や各種の操作部を備えた下筐体２と、受話部や液晶表示部等を備えた上筐体３とを具備し、これら下筐体２と上筐体３とはヒンジ部４を介して開閉自在に連結されている。
【００４０】
携帯電話機１の筐体を上筐体３とともに構成する下筐体２は、互いに組み付けられる下内ケース２Ｉと下外ケース２Ｏとヒンジカバー２Ｈとを具備しており、これら下内ケース２Ｉ、下外ケース２Ｏ、およびヒンジカバー２Ｈは、何れもＡＢＳ(アクリロニトリル・ブタジエン・スチレン)等の樹脂材料を型成形することによって所期の形状に製造されている。
【００４１】
図２および図３に示す如く、下筐体２の内部には配線基板５が収容設置されており、種々の電子部品を実装することによって、上記配線基板５には所期の通信回路(図示せず)が構築されている。
【００４２】
また、上記配線基板５の表面には、上述した通信回路(図示せず)と後述するアンテナ１０とを接続するための、ランド状を呈する接続パターン(基板側接続部)５ａが形成されている。
【００４３】
さらに、上記回路基板５には、通信回路(図示せず)を構築する以外にも、様々な電子部品や機構部品等が取り付けられており、上記回路基板５は、その表裏を下内ケース２Ｉおよび下外ケース２Ｏによって覆われ、その端縁部５ｅをヒンジカバー２Ｈによって覆われている。
【００４４】
上記ヒンジカバー２Ｈは、下筐体２の一方端部を構成する平板状のパネル部２Ｈａと、このパネル部２Ｈａから突出してヒンジ部４の外観を構成する舌部２Ｈｂとを有し、後述するアンテナ１０を上記パネル部２Ｈａと一体に成形、具体的には一体にインサート成形することにより製造されている。
【００４５】
図３〜図６に示す如く、上記アンテナ１０は本体部(アンテナ本体部)１０Ａと、該本体部１０Ａから延びる接続部(アンテナ側接続部)１０Ｂとを有し、例えばステンレス鋼等の板金に打抜き形成や折曲げ形成を施すことにより、所期の形状に製造されている。
【００４６】
上記アンテナ１０の本体部１０Ａは、上記ヒンジカバー２Ｈにおけるパネル部２Ｈａのほぼ全幅に亘って延び、中央部１０Ａａと該中央部１０Ａａの左右に延びる端部１０Ａｂ、１０Ａｂとを有する細い帯板状を呈している。
【００４７】
また、上記本体部１０Ａにおける中央部１０Ａａは、ヒンジカバー２Ｈのパネル部２Ｈａに形成されたストラップ取り付け用の孔２Ｈｏを避けるべく、その平面形がクランク状に形成されているとともに、上記アンテナ１０を成形したヒンジカバー２Ｈの強度(剛性)を向上させる目的から、上記本体部１０Ａは中央部１０Ａａと端部１０Ａｂとの境界が折り曲げ形成されている。
【００４８】
また、上記ヒンジカバー２Ｈのパネル部２Ｈａと一体にインサート成形されたアンテナ１０の本体部１０Ａは、中央部１０Ａａの一方表面を外部に露出させている以外、その大部が上記ヒンジカバー２Ｈを構成する樹脂材料によって覆われている。
【００４９】
ここで、本体部１０Ａにおける中央部１０Ａａの一方表面は、ヒンジカバー２Ｈにおけるパネル部２Ｈａの表面と面一なので、上記中央部１０Ａａのエッジはパネル部２Ｈａの表面から突出することなく、ヒンジカバー２Ｈを構成する樹脂材料によって覆われており、もってアンテナ１０における本体部１０Ａのエッジは、その全てがヒンジカバー２Ｈを構成する樹脂材料によって覆われている。
【００５０】
一方、上記アンテナ１０の接続部(アンテナ側接続部)１０Ｂは、上記本体部１０Ａにおける一方の端部１０Ａｂから、下筐体２に収容された配線基板５に向かって延在する板バネ形状を呈しており、上記配線基板５の表面に形成された接続パターン(基板側接続部)５ａに対して、上記接続部１０Ｂは自身の弾性力により圧接している。
【００５１】
このように、接続部(アンテナ側接続部)１０Ｂと接続パターン(基板側接続部)５ａとが互いに接触することより、配線基板５上において構築された通信回路(図示せず)と、ヒンジカバー２Ｈに成形されたアンテナ１０との接続が為されている。
【００５２】
上述した如き構成の携帯電話機１では、下筐体(筐体)２を構成するヒンジカバー２Ｈに、アンテナ１０を一体にインサート成形したことにより、図３に示す如くアンテナ１０、詳しくはアンテナ１０における本体部１０Ａと、配線基板５における端縁部５ｅとのクリアランスｗを、下筐体(筐体)２の大型化を伴うことなく大きく設定することが可能となる。
【００５３】
かくして、配線基板５や該配線基板５の周辺に設置された種々の金属物等から成る内部部品と、上記アンテナ１０との不用意な近接が防止され、もって上述した構成の携帯電話機１によれば、筐体の不用意な大型化を招くことなく、送受信時におけるアンテナ性能の低下を未然に防止することが可能となる。
【００５４】
また、上述した構成の携帯電話機１によれば、ヒンジカバー２Ｈにアンテナ１０をインサート成形し、静電気の落ち易い本体部１０Ａのエッジを、上記ヒンジカバー２Ｈを構成する樹脂材料で覆ったことにより、外部からの静電気がアンテナ１０に落ちることに起因する、通信回路の破壊を未然に防止することが可能となる。
【００５５】
また、上述した構成の携帯電話機１によれば、アンテナ１０に設けた板バネ形状の接続部(アンテナ側接続部)１０Ｂを、配線基板５の表面に形成した接続パターン(基板側接続部)５ａに直接に接触させて、アンテナ１０と配線基板５との接続を為していることにより、アンテナ１０と配線基板５、具体的には配線基板５上の通信回路との接続に供される部品点数を削減することが可能となる。
【００５６】
ここで、上述した携帯電話機１においては、ヒンジカバー２Ｈの如き小さな部品にアンテナ１０をインサート成形したことで、上記ヒンジカバー２Ｈの強度が大幅に向上することとなる。特に上記ヒンジカバー２Ｈは、下筐体２と上筐体３とを連結するヒンジ部４の構成要素であり、強度を必要とする部品であるために、アンテナ１０を成形したことによる強度の増大は極めて有効なものとなる。
【００５７】
また、ヒンジカバー２Ｈの如き小さな部品にアンテナ１０をインサート成形しているので、製造時における成形バラツキ(成形歪み)の発生を抑えることができる。すなわち、ヒンジカバー２Ｈのほぼ一杯にアンテナ１０がインサートされることで、大きなパーツに相対的に小さなアンテナを一体に成形する場合に比べ、両者の熱膨張率は互いに相違するものの寸法比や体積比が比較的に近しいこと等の理由から、製造時における材料の熱収縮に起因する成形歪みが少なく、もって製品毎の成形バラツキが抑制されることとなる。
【００５８】
また、上述した携帯電話機１においては、ヒンジカバー２Ｈと一体にインサート成形したアンテナ１０の一部、詳しくは本体部１０Ａにおける中央部１０Ａａの一方表面を露出させているが、本体部１０Ａの全体をヒンジカバー２Ｈに埋め込む態様でインサート成形することも可能であり、上記構成が静電気に対する極めて有効な対策と成ることは言うまでもない。
【００５９】
また、アンテナ１０における本体部１０Ａの形状は、実施例に限定されるものではなく、さらに、上記本体部１０Ａは細い帯板状のみならず、例えば棒状あるいはリング状等、携帯電話機１の設計仕様に基づいて適宜に設定し得るものであることは勿論である。
【００６０】
また、上述した携帯電話機１においては、アンテナ１０をヒンジカバー２Ｈと一体にインサート成形しているが、アンテナを成形する筐体の部位は実施例に限定されるものではなく、例えば下筐体２の下外ケース２Ｏ等、任意に選択し得ることは言うまでもない。因みに、上筐体３における上外ケース３Ｏ(図１参照)に、金属材料から成るアンテナをインサート成形することで、扁平なパーツの剛性が向上するとともに、携帯電話機１の使用時、上記上外ケース３Ｏは外方を向くことから、アンテナ性能の向上も見込まれることとなる。
【００６１】
また、上述した携帯電話機１においては、アンテナ１０に設けた板バネ形状の接続部(アンテナ側接続部)１０Ｂを、配線基板５に形成した接続パターン(基板側接続部)５ａと接触させているが、板バネ形状の接続部に換えて本体部の一部を接続部(アンテナ側接続部)とし、配線基板５に設けた板バネ形状の接続部(基板側接続部)を接触させることによって、アンテナと通信回路との接続を為すよう構成することも可能である。
【００６２】
また、上述した実施例においては、アンテナ１０の接続部(アンテナ側接続部)１０Ｂと、配線基板５の接続パターン(基板側接続部)５ａと接触させて、アンテナと通信回路との接続を図っているが、アンテナと通信回路とを非接触で接続させるように構成する、いわゆる容量結合とすることも可能である。
【００６３】
また、上述した実施例においては、インサート成形によってヒンジカバー２Ｈにアンテナ１０を一体に成形しているが、アウトサート成形によってアンテナ１０をヒンジカバー２Ｈ、あるいは種々のパーツとアンテナとを一体に成形し得ることは言うまでもない。
【００６４】
さらに、上述した実施例においては、本発明を携帯端末の一態様である折畳み式の携帯電話機に適用した例を示したが、各種タイプの携帯電話機あるいはコードレス電話機の子機等の無線通信機器に限らず、送受信機能を備えたＰＤＡ(パーソナル・データ・アシスタンス)等の様々な携帯端末においても、本発明が極めて有効に適用し得るものであることは勿論である。因みに、アンテナを用いた無線による情報伝達機能(通信機能)を具備したものであれば、送信機能あるいは受信機能のみを備えた携帯端末、例えばハンディＧＰＳ(グローバル・ポジショニング・システム)受信機等の携帯端末においても、本発明を有効に適用し得ることは言うまでもない。
【図面の簡単な説明】
【００６５】
【図１】(ａ)および(ｂ)は、本発明に関わる携帯端末の一実施例である折畳み式の携帯電話機を示した全体外観図。
【図２】図１に示した携帯電話機における下筐体の分解図。
【図３】(ａ)および(ｂ)は、図１に示した携帯電話機における下筐体の側面断面図および平面断面図。
【図４】(ａ)、(ｂ)および(ｃ)は、図１に示した携帯電話機の下筐体におけるヒンジカバーの平面図、正面図、および側面図。
【図５】(ａ)、(ｂ)および(ｃ)は、図４中のａ−ａ線断面図、ｂ−ｂ線断面、および図ｃ−ｃ線断面図。
【図６】(ａ)、(ｂ)および(ｃ)は、図１に示した携帯電話機におけるアンテナの平面図、正面図および側面図。
【図７】従来の携帯端末におけるアンテナの設置態様を示す分解斜視図。
【図８】(ａ)および(ｂ)は、従来の携帯端末におけるアンテナの設置態様を示す側面断面図および平面断面図。
【符号の説明】
【００６６】
１…携帯電話機（携帯端末）、
２…下筐体(筐体)、
２Ｉ…下内ケース、
２Ｏ…下外ケース、
２Ｈ…ヒンジカバー、
３…上筐体、
３Ｏ…上外ケース、
４…ヒンジ部、
５…配線基板、
５ａ…接続パターン(基板側接続部)、
１０…アンテナ、
１０Ａ…本体部(アンテナ本体部)、
１０Ｂ…接続部(アンテナ側接続部)。
【図１】
2006129038.tif 000003
【図２】
2006129038.tif 000004
【図３】
2006129038.tif 000005
【図４】
2006129038.tif 000006
【図５】
2006129038.tif 000007
【図６】
2006129038.tif 000008
【図７】
2006129038.tif 000009
【図８】
2006129038.tif 000010